(57)【特許請求の範囲】
【請求項１】
冷凍輸送コンテナ（１）における除霜サイクルをいつ終了させるかを決定する方法であって、前記コンテナ（１）は：
−  輸送ボリューム（４５）と、
−  冷却空間（４１）に配置された、少なくとも蒸発器（１６）と蒸発器ファン（１０）を備える冷却ユニットと、
−  前記冷却空間（４１）を前記輸送ボリューム（４５）から分離させるように配置された還気グリッド（４２）と、
−  前記輸送ボリューム（４５）から前記冷却空間（４１）に戻る空気の還気温度または前記還気グリッド（４２）の温度を示す温度を検知する手段と、
−  除霜サイクルの間、前記蒸発器（１６）を能動的に加熱する手段と、
−  少なくとも前記除霜サイクルの持続時間を制御するように構成されたプロセッサとを備え、
前記蒸発器ファン（１０）は、前記除霜サイクルの間オフであり、
前記方法は、
−  前記還気グリッド（４２）における霜および／または氷の堆積を示す１つまたは複数の指標を確立するステップと、
−  前記還気グリッド（４２）における霜および／または氷の堆積を示す１つまたは複数の指標が、前記還気グリッド（４２）に霜および／または氷がないことを示す場合にのみ、除霜サイクルを終了させると決定するステップと
をさらに含み、
前記還気グリッド（４２）における霜および／または氷の堆積を示す前記１つまたは複数の指標は、除霜サイクル開始時または開始前の期間中の冷却動作中の前記還気温度よりも高い給気温度の検出を含むことを特徴とする、方法。
【請求項２】
冷凍輸送コンテナ（１）における除霜サイクルをいつ終了させるかを決定する方法であって、前記コンテナ（１）は：
−  輸送ボリューム（４５）と、
−  冷却空間（４１）に配置された、少なくとも蒸発器（１６）と蒸発器ファン（１０）を備える冷却ユニットと、
−  前記冷却空間（４１）を前記輸送ボリューム（４５）から分離させるように配置された還気グリッド（４２）と、
−  前記輸送ボリューム（４５）から前記冷却空間（４１）に戻る空気の還気温度または前記還気グリッド（４２）の温度を示す温度を検知する手段と、
−  除霜サイクルの間、前記蒸発器（１６）を能動的に加熱する手段と、
−  少なくとも前記除霜サイクルの持続時間を制御するように構成されたプロセッサとを備え、
前記蒸発器ファン（１０）は、前記除霜サイクルの間オフであり、
前記方法は、
−  前記還気グリッド（４２）における霜および／または氷の堆積を示す１つまたは複数の指標を確立するステップと、
−  前記還気グリッド（４２）における霜および／または氷の堆積を示す１つまたは複数の指標が、前記還気グリッド（４２）に霜および／または氷がないことを示す場合にのみ、除霜サイクルを終了させると決定するステップと
をさらに含み、
前記還気グリッド（４２）における霜および／または氷の堆積を示す１つの指標は、前記蒸発器（１６）に供給される加熱能力は減少させない状態で、除霜サイクル中に発生する還気温度の０℃超への上昇後の還気温度の低下により確立されることを特徴とする、方法。
【請求項３】
前記除霜サイクルをいつ終了させるかを決定する方法は、現在の除霜サイクルをいつ終了させるかを決定する方法を構成する、請求項１または２に記載の方法。
【請求項４】
前記還気温度または前記還気グリッド（４２）の温度を示す温度を検知する手段は、前記冷却空間（４１）内部で前記蒸発器（１６）と前記還気グリッド（４２）の上端との間の高さに配置されている、請求項１から３の何れか一項に記載の方法。
【請求項５】
前記還気温度または前記還気グリッド（４５）の温度を示す温度を検知する手段は、前記還気グリッド（４２）に、もしくはその下流に、および／または前記蒸発器（１６）の上流に配置された、還気温度センサ（５）を含む、請求項４に記載の方法。
【請求項６】
前記還気グリッド（４２）における霜および／または氷の堆積を示す前記１つまたは複数の指標は、除霜サイクル開始時または除霜サイクル開始前の期間または除霜サイクル中の０℃未満の還気温度の検出を含む、請求項１から５の何れか一項に記載の方法。
【請求項７】
前記還気グリッド（４２）における霜および／または氷の堆積を示す前記１つまたは複数の指標は、除霜サイクル開始時の検知された還気温度と検知された給気温度の差を含む、請求項１から６の何れか一項に記載の方法。
【請求項８】
前記還気グリッド（４２）における霜および／または氷の堆積を示す前記１つまたは複数の指標は、最後の除霜サイクルが終了してからの経過時間を含む、請求項１から７の何れか一項に記載の方法。
【請求項９】
前記還気グリッド（４２）は、前記輸送ボリューム（４５）と前記冷却空間（４１）の間に配置されるバルクヘッドの上部に配置される、請求項１から８の何れか一項に記載の方法。
【請求項１０】
前記還気グリッド（４２）における霜および／または氷の堆積を示す１つの指標は、除霜開始からの経過時間である、請求項１から９の何れか一項に記載の方法。
【請求項１１】
前記方法は、前記除霜サイクルの延長が、前記除霜サイクルの開始時の前記還気温度が０℃未満である場合にのみ行われるように構成される、請求項１から１０のいずれか一項以上に記載の方法。
【請求項１２】
前記蒸発器ファン（１０）は、前記還気グリッド（４２）の下流かつ前記蒸発器（１６）の上流に配置されている、請求項１から１１の何れか一項に記載の方法。
【請求項１３】
前記方法は、前記還気グリッド（４２）における霜および／または氷の堆積の指標が与えられた除霜サイクル後、前記還気グリッド（４２）から水ならびに／または部分的に溶けた霜および／もしくは氷を吹き飛ばすために、前記蒸発器ファン（１０）を所定の期間順方向または逆方向に稼働させるステップをさらに含む、請求項１から１２の何れか一項に記載の方法。
【請求項１４】
冷凍輸送コンテナ（１）における除霜サイクルをいつ終了させるかを決定するデバイスであって、請求項１から１３の何れか一項に記載の方法に従って動作するように構成されることを特徴とする、デバイス。
【請求項１５】
コンピュータ実行可能命令を有するコンピュータプログラムであって、前記コンピュータ実行可能命令は、１つまたは複数のコンピュータプロセッサによって実行されたとき、前記１つまたは複数のコンピュータプロセッサに、請求項１から１３の何れか一項の冷凍輸送コンテナにおける除霜サイクルをいつ終了させるかを決定する方法を提供させることを特徴とする、コンピュータプログラム。
【発明の詳細な説明】
【技術分野】
【０００１】
第１の態様によると、本発明は、冷凍輸送コンテナにおける除霜サイクルをいつ終了させるかを決定する方法に関する。
【０００２】
冷凍輸送コンテナは、
−  輸送ボリューム（４５）と、
−  冷却空間（４１）に配置された少なくとも蒸発器（１６）を備える冷却ユニットと、
−  当該冷却空間（４１）を当該輸送ボリューム（４５）から分離させるように配置された還気グリッド（４２）と、
−  当該輸送ボリューム（４５）から当該冷却空間（４１）に戻る空気の還気温度または還気グリッド（４５）の温度を示す温度を検知する手段と、
−  除霜サイクルの間、当該蒸発器（１６）を能動的に加熱する手段と、
−  少なくとも当該除霜サイクルの持続時間を制御するように構成されたプロセッサと
を備える。
【０００３】
本発明の第２の態様によると、冷凍輸送コンテナにおける除霜サイクルをいつ終了させるかを決定するように構成されたデバイスまたはシステムまたはコントローラが提供される。
【０００４】
本発明の第３の態様によると、冷凍輸送コンテナにおける除霜サイクルをいつ終了させるかを決定するように構成されたソフトウェアを備えたコンピュータ可読媒体が提供される。ソフトウェアは、冷凍輸送コンテナ用のソフトウェア／ファームウェアを構成してもよい。
【０００５】
冷凍輸送コンテナは、インターモーダル輸送コンテナを構成してもよい。
【０００６】
本開示を通して、用語「氷」は凍結した水、すなわち脆く透明な結晶質固体を表す。用語「霜」は、水が飽和した空気から水蒸気が析出するときに形成される小さな白色のまたは輝く結晶を意味する。霜は、固体の表面が、隣接する空気のいわゆる露点未満まで、また水の凝固点未満まで冷却されたときに形成される。温風の流れは、霜よりもずっとゆっくりと氷を溶かす。これは、氷がはるかに小さな表面積対体積比を有するからである。
【背景技術】
【０００７】
冷凍輸送コンテナ、またはいわゆる冷凍コンテナは、貨物輸送のために使用される運送用コンテナである。コンテナは温度に敏感な貨物の輸送のために冷却または保冷される。典型的な冷凍コンテナは、外部電源に通常頼る能動冷却ユニットに接続された冷凍輸送ボリュームからなる。
【０００８】
冷凍輸送コンテナの社会への影響は広大であり、世界中の消費者は年中いつでも新鮮な製品を楽しみ、世界のさまざまな地方からの以前は入手不可能であった新鮮な製品を体験することができるようになった。ほとんどの消費者は、あらゆる種類の新鮮な製品が一年中どの食料品店でも入手可能であり、手頃な価格であることを当然のことであると思っている。
【０００９】
消費者の期待に添って消費者に提供するには、信頼性が高い自動温度調節システムおよび高度なロジスティクスソリューションを備えた技術的に進んだ冷凍コンテナが必要とされる。
【００１０】
蒸発器は、冷媒が輸送ボリュームから熱を吸収することによって、１つまたは複数の蒸発器ファンにより蒸発器または蒸発器コイルの上を流れるか、またはこれらを通って流れる空気を冷却する冷凍システムの一部である。このプロセスにおいて、蒸発器の上を通るかまたは蒸発器を通過する空気により運ばれる湿気および水は、蒸発器の冷たい表面上に付着し得るため、霜および／または氷が蒸発器の表面上に堆積し始める。霜および／または氷の堆積は、適切な除霜対策によって阻止されなければ、冷却ユニットの適切な動作を妨げ得るレベルまで時間の経過とともに蓄積する。
【００１１】
したがって、除霜コントローラ、または冷却ユニットの動作を制御するプロセッサに組み込まれた除霜機能が通常提供される。
【００１２】
以下では、簡潔さのために、「除霜コントローラ」という名称は、そのような除霜コントローラおよび／または冷却ユニットの動作を制御するプロセッサに組み込まれた当該除霜機能を意味する。
【００１３】
通常のいわゆる除霜サイクル、または除霜期間について、除霜コントローラは通常、以下の２つの決定機会を有する：
ａ）第１の決定機会は、除霜サイクルを始めるときであり、
ｂ）第２の決定機会は、除霜サイクルを終了させるときである。
【００１４】
第２の決定機会は、現在の除霜サイクル中、または第１の決定機会の前に設定されてもよい。
【００１５】
第１および第２の決定機会は、従来技術によれば、例えば、特定のパラメータが所定のしきい値に達することで、および／または所定の期間の経過によって、トリガされてもよい。
【００１６】
冷凍コンテナの凍結モード動作は、０℃もしくは−５℃を下回る、またははるかに下回る温度設定値における動作である。
【００１７】
凍結モード動作中に、または還気温度が約０℃以下である動作モード中に、以下の３つの状況が生じ得る：
ｉ．蒸発器の表面上における霜および／もしくは氷の形成および堆積、ならびに／または
ｉｉ．蒸発器の上方もしくは上流の冷却空間内の部品における霜および／もしくは氷の形成および堆積、ならびに／または
ｉｉｉ．蒸発器の下方、すなわち、給気ダクト内の床の１つもしくは複数の面における氷の形成および堆積
である。
【００１８】
第１の状況（ｉ．）は一般的な状況であると考えられる。除霜のための従来技術の方法およびシステムは、この状況に対応するために構成され、したがって、上述のような第１の決定機会ａ）および第２の決定機会ｂ）は、この状況に対応するために設定または制御される。
【００１９】
上述の状況（ｉｉ．）のような、蒸発器の上方またはその上流の空間内に格納または収容されており、蒸発器から最も離れた部品は、還気グリッドである。還気グリッドは、空気の流れを実質的に妨げることなく、貨物空間または輸送ボリュームから冷却空間を分離するように構成されている。場合によっては、還気グリッドにも霜および／または氷が形成および堆積しやすいことがあり、この場合、霜および／または氷は空気の流れに関連する問題を生じ、これは最終的には、冷凍コンテナの適切な動作を確実なものとするために、解決する必要がある。
【００２０】
還気グリッドが完全に遮断された場合には、コンテナ内の空気循環は不可逆的に遮断され得、これにより貨物を別の冷凍コンテナに積み直す必要が生じ得る。
【００２１】
蒸発器の上方またはその上流に配置された冷却空間内の部品、特に還気グリッドにおける氷の形成は通常、冷凍輸送コンテナ内の空気の状態が還気流中に存在する過冷却された霧および／または氷晶の存在を含む場合に生じる。
【００２２】
上述の状況（ｉｉｉ．）のような蒸発器の下方、すなわち給気ダクトの床上または床内における霜および／または氷の形成および堆積は、コンテナ内の空気循環を不可逆的に遮断する可能性があり、貨物の別の冷凍コンテナへの積み直しを必要とし得る。
【００２３】
温度に敏感な貨物の積み直しは、温度に関する不適切な扱い、時間の浪費、および輸送会社への相当の追加費用の原因となりうる。
【００２４】
空気循環の不可逆的な遮断は通常、凍結モードの輸送では回避可能であるが、偶発的に起こることがある。特に、不可逆的な遮断は、非常に湿った積荷がある輸送において生じ、このような積荷はコンテナに積まれた後も絶えず冷却される必要がある。
【００２５】
エアダクトまたは他の場所に氷が蓄積するという問題に対して考えられる解決策は、単純に、氷が蓄積し得る場所に熱を供給することである。氷は主として、冷凍輸送コンテナの床と、冷却空間の内壁に設けられた融解水収集ガイド部に蓄積する傾向がある。氷が蓄積する問題に対する解決策は、除霜サイクルの間、十分な量の熱を前述の場所に供給することにより氷の形成を回避することである。しかしながら、前述の場所への熱供給には、氷が問題となるレベルまで蓄積すると認められる場所、すなわち、主に給気ダクト領域の内部またはその近傍へのトレース加熱素子等の発熱体の設置を必要とすることになる。
【００２６】
冷凍輸送コンテナは、使用される輸送産業の要望により高度に規格化される必要があるため、一部のコンテナだけを非常に湿った積荷を運ぶために特別に改変することはできそうにもない。特に、特定の事実上の輸送産業の要望、例えば、規模の経済、グローバルな利用、およびコンテナフリートの無制限の汎用性は、冷凍コンテナのごく一部のこのような改変に不利に働く。
【００２７】
国際公開第２０１４／１４７０７６号Ａ１は、パレット貨物輸送用の冷凍コンテナを開示する。このコンテナは冷凍機械を備えており、冷凍機械を循環または通過する空気がコンテナの両側にあるダクトに分かれる。この発明はさらに、冷凍コンテナにパレットを積む方法に関する。
【００２８】
米国特許第３，４６５，５３４号Ａは、蒸発器を通る空気の流れが霜によって比較的阻害される場合に、冷凍装置の蒸発器を除霜する装置を開示している。蒸発器を通る空気の流れは、蒸発器を迂回する基準経路内の空気の流れについて測定される。流量は、一対の自己加熱サーミスタにより検知される。サーミスタは各々の経路に配置される。サーミスタは、遷移温度を有する半導体材料で構成される。この遷移温度を超えると、材料の抵抗が突然に大きくなる。したがって、電流をサーミスタに印加し、サーミスタを自己発熱させると、突然に大きくなる抵抗特性により、サーミスタを遷移温度で自己調整させる。
【００２９】
米国特許出願公開第２００３／２０２５５７号Ａは、輸送温度制御ユニットと、輸送温度制御ユニットの蒸発器コイルを除霜する方法とを開示している。輸送温度制御ユニットは、蒸発器コイル、周囲空気温度を検知する周囲空気温度センサ、還気温度を検知する還気温度センサ、排気温度を検知する排気温度センサ、蒸発器コイル温度を検知する蒸発器コイル温度センサ、およびコントローラを備える。大きな温度差が蒸発器に生じるとコントローラは除霜サイクルを開始させる。
【００３０】
米国特許出願公開第２００６／２４８９０４号Ａは、車両積載空間における空調方法を開示している。この方法は、蒸発器を含む冷媒回路を提供することと、冷媒に冷媒回路を通過させることと、積載空間の空気を蒸発器と交差させることと、蒸発器の上流における冷媒回路内の冷媒の温度および圧力の一方に基づき第１状態を検知することと、蒸発器内の冷媒の温度および圧力の一方に基づき第２状態を決定することと、第１状態と第２状態との差を決定することと、この差がしきい値より大きいときに蒸発器の除霜プロセスを開始することとを含む。
【００３１】
米国特許第６，６７２，０８６号ＢＢは、意図的に霧を冷却器に供給する結霜冷却器を開示している。このことは、冷却器内に保管される飲料ボトル等の低温製品に霜を生成および維持する目的で行われる。このことにより、喉の渇いた消費者には非常に魅力的であることが意図された飲料の冷たい状態の視覚的表示が提供される。当該冷却器は、ボトルに入った液体を凍結させることなく周囲空気中の湿度が低い環境で霜が生成できるように湿気を冷却器内の製品に供給する能力を有する。冷却器は、一旦製品に霜が形成されるとその霜を制御および保護するように動作する。加えて、当該文献は、製品ボリュームと蒸発器との間の気流経路にある物体について、それらの部品を単に省略または再配置することにより、それらの物体への霜形成を防ぐ設計を開示している。結果として、前述の明細書は還気グリッドを記述していない。第２に、空気がまず蒸発器コイル、その後、ファンに当たるように、１つまたは複数の蒸発器ファンを配置する。これはファンへの霜形成を回避する効果的な方法であるが、これは冷凍能力の低下およびエネルギー消費の増大につながる。
【００３２】
たとえ、前述の米国特許第６，６７２，０８６号ＢＢに記載される結霜冷却器が製品を保管する断熱キャビネット内の蒸発器およびファンへの霜の蓄積を防止するように設計および制御されるとしても、その環境は、多目的冷凍輸送コンテナとは異なる。上記のように、冷凍コンテナは、どんなタイプの温度制御された貨物も運搬するのに適していなければならないタイプの設備である。記載された結霜冷却器もまた、冷凍輸送コンテナにおいて不可欠な設備である還気グリッドを欠いており、これを通過した還気は途中でファンを通り、その後に蒸発器コイルを通過する。
【００３３】
改変することなく多目的冷凍輸送コンテナを利用するという商業的に動機付けられた要望に加えて、余分な機械設備には購入費用を伴い、設置、保守を必要とし、空気の流れ等のために必要とされる物理的空間を占めてしまう。
【００３４】
さらに、米国特許第６，６７２，０８６号ＢＢが提案するように、空気がまず蒸発器、次に蒸発器ファンを通過するように、すなわち、蒸発器の下方に１つまたは複数の蒸発器ファンを配置することは、冷凍ユニットの冷却能力およびエネルギー効率を抑制するであろう。これは、霜が蒸発器ファンに蓄積するという現在の設計において稀な状況において蒸発器ファンへの霜形成の課題を解決するために、すべての輸送においてエネルギー上で不利になることを意味する。蒸発器ファンの位置を変えないのであれば、還気グリッドは、梱包材または人の指等の物体が回転中の蒸発器ファンに当たることを回避するために、所定位置に配置される必要がある。
【００３５】
結論として、特に凍結モード動作または還気温度が約０℃以下の動作モードにおける上記の問題への有効な解決策が必要とされている。この課題は、湿った積荷の温度が０℃未満の輸送温度まで引き下げられるという状況でも顕著である。
【発明の概要】
【発明が解決しようとする課題】
【００３６】
本発明が解決する第１の課題とは、蒸発器の上方または上流の冷却空間内の部品、特に還気グリッドへの霜および／または氷の形成および／または堆積を防止することである。
【００３７】
本発明が解決する第２の課題とは、蒸発器の下方、すなわち、給気ダクト、または貨物が置かれるＴ形床板／格子の入口への氷の形成および／または堆積を防止および／または阻止することである。
【００３８】
経験によれば、第２の課題は、第１の課題に適切に対処しなかった結果であり、すなわち、還気グリッドに氷および／または霜がない状態が維持されれば、上述の冷凍輸送コンテナの残りの部品も氷および／または霜がない状態が本質的に維持されるであろう。
【課題を解決するための手段】
【００３９】
本発明の目的は、本明細書の導入部にあるように、冷凍輸送コンテナ１における除霜サイクルをいつ終了させるかを決定する方法を提供することによって、前述のような氷および／または霜の形成および堆積という問題を解決することである。本方法は、
−  還気グリッド４２における霜および／または氷の堆積を示す１つまたは複数の指標を確立するステップと、
−  当該還気グリッド４２における霜および／または氷の堆積を示す当該１つまたは複数の指標が、当該還気グリッドに霜および／または氷がないことを示す場合にのみ、除霜サイクルを終了させると決定するステップと
を含む。
【００４０】
このことにより、従来技術が提案するような蒸発器だけでなく、特定の条件下で霜および／または氷が蓄積すると知られているさらなる部品も除霜する方法が述べられる。
【００４１】
除霜サイクルを終了させる決定は、蒸発器の除霜サイクル等の除霜サイクルを延長または拡張する決定を構成してもよい。
【００４２】
当該還気グリッド４２における霜および／または氷の堆積を示す指標は、還気グリッドが霜および／または氷により遮断または部分的に遮断されているかどうかを示すように構成または選択されてよい。
【００４３】
したがって、前述の第１の課題（ｉｉ．）、したがって、内在する第２の課題（ｉｉｉ．）もまた、蒸発器の除霜サイクルを延長し、蒸発器に加えられる熱を、おそらくは自然対流によって蒸発器の上方の部品、例えば、還気グリッド４２へと伝搬させ、当該部品から蓄積した霜および／または氷をすべて溶かすことによって解決される。
【００４４】
所定の状態と一致する還気グリッドにおける霜および／または氷の堆積を示す指標に応じて、除霜サイクルは、除霜のための加熱をオフにし、冷却ユニットの非除霜の動作モードを再開することによって終了される。
【００４５】
したがって、延長または拡張された除霜サイクルは、所定の指標の１つまたは複数が所定の状態に一致したときに終了する。
【００４６】
本発明のいくつかの実施形態では、霜および／または氷の堆積を示す指標は、冷却ユニットの下方および／または貨物空間の下方のエアダクトならびに冷却ユニットの下部における霜および／または氷の堆積を表す指標を構成してもよい。
【００４７】
本発明によって、理想的には冷却空間４１全体に霜および／または氷がない状態を維持することを達成することができる。拡張された除霜サイクルの間、霜および／または氷はすべて蒸発器１６、還気グリッド４２、その間にあるすべての部品から溶け、融解水はすべて１つまたは複数の水収集ガイド部２１を通ってコンテナ外部に排出される。除霜および除氷するプロセスは、以下の発明を実施するための形態に、より詳細に記載されている。
【００４８】
本発明によると、温度に敏感な貨物を運搬するのに適した多目的冷凍輸送コンテナは、冷却プロセスの中断による貨物の損傷リスクなしで、温度を引き下げた凍結モードで、非常に湿った積荷を輸送するために使用することができ、これはいかなる機械設備の改変も必要としない。
【００４９】
すでに利用可能な現在の冷凍コンテナの動作モードは通常、本発明に係る方法が組み込まれたソフトウェアの更新により再構成されてもよいため、機械設備の購入に典型的な余分な費用が伴わず、設置または保守が必要なく、貨物または空気の流れに必要とされる物理的空間が余分な機械設備に占められることがない。
【００５０】
還気グリッド４２および標準的な冷凍コンテナにおける給気ダクト４６は、コンテナが一旦貨物でいっぱいになると、特に、コンテナがコンテナ船のコンテナホールド内のセルガイドに積み込まれると、視認することができず、容易にアクセスすることもできない。結果として、霜および／または氷のこれらの場所における形成は、容易に視認することも機械的に除去することもできない。
【００５１】
蒸発器の下方の給気ダクトは、輸送ボリュームを通してのみアクセス可能である。したがって、本発明が解決しようとする状況において残っている貨物を回収する手順は、この状況に完全に気付いており、かつコンテナが概ねアクセス可能であれば、まずドアロックにある税関封印を切り、ドアを開け、次に貨物を別の冷凍コンテナに積み直し、冷凍コンテナの識別番号の変更および新たな税関封印に起因する、関税に関する書類作業を行なうというものである。
【００５２】
本発明によって、上述の非常に望ましくない手順を回避できる。この手順の回避は、冷凍輸送コンテナの冷凍または冷蔵貨物の輸送に関わる利害関係者全員にとって非常に望ましい。
【００５３】
全面的な積み直し手順の代わりとして、貨物の少なくとも一部を下ろしてから、蓄積した氷および霜を機械的に除去することがしばしば試みられる。明らかに、コンテナがコンテナ船上の貨物ホールド、典型的には間にあるセルガイドに積み込まれているときには、そうするのは不可能である。
【００５４】
本発明の種々の代替的実施形態によると、本方法は、経験的であれそうでなかれ、実質的にすべての霜および／または氷が、少なくとも１つの蒸発器ファン１０から、ならびに／または蒸発器１６から、ならびに／または蒸発器１６の上方もしくは上流の他のすべての部品から、ならびに／または冷却空間４１内に配置された還気温度センサ５および除霜温度センサ１７のいずれからも溶けた状態を表すことができる、所定の状態を表す指標の適用を含んでいてもよい。これにより、本発明に係る方法が、従来技術が提案するような蒸発器だけでなく、他の部品にも霜および／または氷が蓄積し得る状態に影響を及ぼすさまざまな状況に適合可能であるということが達成される。
【００５５】
本発明の代替的実施形態によると、本方法は、所定の指標のうち１つまたは複数を決定することを含むことができる。所定の指標は、好ましくは少なくとも１つの蒸発器ファンの高さまたはそれ以上の高さに配置される温度センサによる、またはその代わりもしくはそうでなくとも、所望により冷却空間の蒸発器の最も高い点よりも高い位置に配置された温度センサによる、またはさらなる代替として、還気グリッド４２にもしくはその両側面に配置された少なくとも１つの温度センサによる温度であってもよい。これにより、本方法が、還気グリッド４２または冷却空間４１、４６の下部または貨物の下方のエアダクト内の霜および／または氷の堆積を示す指標を測定および／または確立するための所定のまたは代表的な条件に影響を及ぼすさまざまな状況に適合可能となることが達成される。
【００５６】
本発明のさらに別の代替的実施形態によると、還気グリッドの輸送ボリューム側に温度センサが配置された場合に、温度センサを収容するために、保護凹部が冷凍輸送コンテナの内壁または天井に設けられてもよい。損傷のリスクを冒したり、または取り扱いに注意を要する測定機器を破壊したりすることなく、冷凍輸送コンテナの簡略化した効率的な荷積みまたは関連する管理を容易にするために、この凹部は温度センサに保護を与える。特に、これは、１つまたは複数の温度センサが還気グリッド４２の輸送ボリューム側に収容されたときに重要である。凹部の保護機能は、還気グリッド４２の両側または測定機器が設置される冷凍輸送コンテナ内のどこかで利用されてもよい。
【００５７】
本発明のさらに別の代替的実施形態によると、本方法は所定の指標のうちの１つは、除霜サイクル開始からの経過時間であってもよいことを利用できる。この指標は、除霜サイクルを終了させるさらなる選択肢を提供すること、ならびに／または冷凍輸送コンテナの必須部品から溶ける霜および／または氷についての除霜サイクルが有する効果を制御するという利点を有する。さらに、この指標のさらなる利点は、以下のように経過時間の関数として温度を測定する選択肢に関連する。
【００５８】
本発明のさらに別の代替的実施形態によると、除霜終了制御の方法は、所定の指標のうちの１つが除霜開始から記録された温度の関数であってもよいことを含んでいてもよい。このことは、実質的にすべての霜および／または氷が蒸発器だけでなく他の部品からも溶けた状態を表す指標を判断することができるようになった後、除霜サイクルを終了させるというさらなる選択肢を提供するという利点を有する。
【００５９】
本発明のさらに別の実施形態では、本方法は、実質的にすべての霜および／または氷が輸送ボリューム４５と冷却空間４１との間の還気流中に配置された還気グリッド４２から溶けたという指標に従って、除霜サイクルまたは拡張もしくは延長された除霜サイクルをいつ終了させるかを自動で決定し、最終的に制御するステップを含んでもよい。これは、手動入力および支援の必要性、したがってオペレータ入力の必要性を小さく、またはなくしさえもする一方で、不必要に長い除霜期間を回避する利点を有する。
【００６０】
一実施形態によると、本出願による除霜のために構成された手段を備えたインターモーダル輸送コンテナ等のコンテナが提供される。
【００６１】
概して、本発明は、単に氷の形成の影響に対処しようとするのではなく、給気ダクト４６における氷の形成の問題の根本的原因に対処する方法および種々の相互に関係のある方法を提供する。
【００６２】
給気ダクト４６における氷の形成の問題の根本的原因の軽減には、氷の形成につながる事象の連鎖の完全な理解を必要とする。
【００６３】
給気ダクト４６における氷の形成につながる一連の段階は以下のようである。第１段階において蒸発器１６の上方の還気グリッド４２のような場所に霜および／または氷がまず蓄積した後、第２段階で除霜サイクルが終了したときにこの霜および／または氷はまだ溶けており、次に第３段階で１つまたは複数の融解水収集ガイド部２１が着氷し、第４段階で給気ダクト４６が着氷する。その結果、給気ダクト４６における氷の堆積および最終的な遮断の根本的原因は、還気グリッド４２における霜および／または氷の堆積であり得る。
【００６４】
前述の事象の連鎖は、前述のように、輸送中に劣化させないために積まれた後も冷却の必要があるブライン凍結魚、特にブライン凍結マグロ等の、非常に湿った積荷の輸送で生じ得る。
【００６５】
本明細書で提案される解決策は、自然対流、すなわち、温風が上昇し、蒸発器へ加えられる熱がさらに上方のユニットまたは冷却空間４１へ運ばれるという現象に頼りながら、延長または拡張された除霜サイクルを呼び出し、還気グリッド４２を含む蒸発器１６の上方の場所に蓄積した実質的にすべての霜および／または氷が溶けたときにだけ、除霜サイクルを終了させる。このことは、特に上述の事象の連鎖の第２段階に照準を合わせていることを説明している。
【００６６】
本発明に係る方法は、延長または拡張された除霜サイクルを呼び出す必要がある場合の選択を以下のように可能にする。コンテナへと貨物を積まれた後も冷却する必要がある非常に湿った積荷の輸送開始時に、オペレータがコントローラに入力を行うか、または自動アルゴリズムが延長された除霜サイクルの必要性を検出する。この自動検出は、冷凍ユニットの異常な挙動の観察に基づくことができ、この異常な挙動の１つは、蒸発器への際立って速い霜形成の検出であり、その結果異常に頻繁な除霜を必要とする。このような際立って速い霜形成は、還気温度の測定および／または還気温度曲線および／または除霜サイクルの完了に必要とされる経過時間をはじめとする、種々の検出技術により検出可能な特定のパターンを残す。
【図面の簡単な説明】
【００６７】
【図１】図１は、本開示の態様による冷凍輸送コンテナの簡略化された縦断面図を概略的に示す。
【図２】図２は、除霜サイクルの開始時に還気グリッドが霜で覆われているか、または少なくとも部分的に遮断されている場合の、除霜サイクルの還気温度曲線を示す。
【図３】図３は、霜および／または氷の形成を低減および／または回避する本発明の方法のフローチャートを示す。
【図４】図４は、蒸発器から霜および／または氷がすべて溶けたときに除霜サイクル（本明細書では「蒸発器の除霜」と呼ぶ）を終了させる従来技術の蒸発器の除霜終了法を適用する場合と、還気グリッドから霜および／または氷が実質的にすべて溶けたときにのみ除霜サイクル（本明細書では「還気グリッドの除霜」と呼ぶ）を終了させる本発明による延長または拡張された除霜サイクルを適用する場合を、自動で制御または決定する方法のフローチャートを示す。
【図５】図５は、自動除霜終了タイプの制御アルゴリズムの動作例のフローチャートを示す。
【発明を実施するための形態】
【００６８】
本開示は、概して、標準的な冷凍輸送コンテナに関するものであり、言及される特徴は通常、種類に関係なく標準化された冷凍輸送コンテナに存在するものである。しかしながら、冷凍輸送コンテナに関連して使用されるその他の典型的な冷却ユニットまたは冷凍ユニットの構造は、本発明に関連する特許請求の範囲の範囲から逸脱することなくいくつかの点で異なり得る。
【００６９】
図１は、冷却または冷凍ユニットまたはシステム４０を有する前方セクションと、積荷／貨物セクションまたは輸送ボリューム４５を備えた冷凍輸送コンテナ１を示す。
【００７０】
冷凍輸送コンテナ１の輸送ボリューム４５は、例えば、複数の積み重ね可能な輸送カートンまたはクレート３５を含む商品または貨物積荷を備える。商品または貨物積荷は、積荷の上を十分な還気流が確実に通過できるように天井と積荷との間に適切なまたは十分な隙間を残すように、輸送ボリューム４５内に配置される。
【００７１】
本実施例の冷却ユニット４０は、いわゆる蒸気圧縮冷凍回路および冷却空間４１を備える。冷凍回路は、少なくとも、圧縮機６、１つまたは複数の凝縮器ファン９を有する凝縮器７、膨張装置または絞り弁８、１つまたは複数の蒸発器ファン１０が上流側に配置された蒸発器１６を備える。
【００７２】
圧縮機６および１つまたは複数の凝縮器ファン９を有する凝縮器７は通常、輸送コンテナ１の断熱容器外部に位置する。
【００７３】
蒸発器１６は、蒸発器１６の外面の温度を測定するいわゆる除霜温度センサ１７をさらに含むか収容してもよい。除霜温度センサ１７は、蒸発器の空気側の表面温度またはそれを表すものを測定する。
【００７４】
冷却空間４１は、冷凍輸送コンテナ１の断熱容器内部に位置する。
【００７５】
冷却空間４１は通常、パネルまたは隔壁により輸送ボリューム４５から分離される。パネルの上部は、いわゆる還気グリッド４２を備える。還気グリッド４２は、空気が通過できるように、貫通している、または開口している。蒸発器ファン１０が回転すると、蒸発器ファン１０は輸送ボリューム４５からの還気流５０をこの還気グリッド４２を通して冷却空間４１内へと引き込む。同時に、給気流５５は、冷却空間４１の下端に位置する給気ダクト４６を通して輸送ボリューム４５へと排出される。冷却空間および輸送ボリューム４５を通る気流は、１つまたは複数の蒸発器ファン１０により維持される。
【００７６】
還気グリッド４２は、輸送ボリューム４５から冷却空間４１内への空気の入口を示す。冷却空間４１を通る途中、空気は還気グリッド４２、還気温度センサ５、気流を維持する１つまたは複数の蒸発器ファン１０、内部またはその上に除霜温度センサ１７を有する蒸発器コイル１６、場合によっては１つまたは複数の電気ヒータ素子２０、除霜融解水収集ガイド部２１、および給気ダクトの内部に配置された給気温度センサ２５を順に通過し、その後空気は冷凍輸送ボリューム４５のＴ形床に供給される。
【００７７】
蒸発器１６の下端からＴ形床の入口までの空間は給気ダクト４６と示される。
【００７８】
還気グリッド４２は、動作時に、梱包材または人の指等の物体が、回転している蒸発器ファン１０に当たることを回避する予防機能を有する。
【００７９】
１つまたは複数の除霜融解水収集ガイド部２１は、蒸発器１６および場合によっては加熱ユニット２０の下に位置する。除霜融解水収集ガイド部２１は、一連のドレンガターまたは受け皿を備え、蒸発器または冷却空間４５内の蒸発器１６より上方の部品から垂れ落ちる除霜融解水を収集し、その水をいわゆるドレンパンに誘導する。ドレンパンは、排水管に接続している開口部を下端に有する。融解水は、排水管を通ってコンテナの外部に排出される
【００８０】
制御システムは、プログラムされたマイクロプロセッサまたは同等物を備える。マイクロプロセッサまたは同等物は、とりわけ、圧縮機６および加熱ユニット２０を一組のマイクロプロセッサプログラム命令によって定義された制御アルゴリズムに従って制御する。制御システムは、ユーザインタフェース、例えば、ＬＣＤディスプレイ、およびキーパッドを追加で備えてもよい。この場合、オペレータまたは船舶技術者は、制御アルゴリズムの特定のパラメータ値、例えば、複数の変更可能なパラメータのうち１つのパラメータのみについて言えば、冷凍輸送コンテナ１の温度設定値を入力または変更することができる。
【００８１】
動作中、いくらか霜が蒸発器１６に蓄積するのは通常のことである。したがって、この霜の形成に対処するために、除霜コントローラは定期的に、冷却動作を中断して除霜サイクルにより蒸発器１６を除霜する。
【００８２】
１回の除霜サイクルでは、前述のように、除霜コントローラは、除霜サイクルを開始するときと除霜動作期間を終了させるときとの、２つの決定機会を有する。理想的には、通常の除霜サイクルの間、霜はすべて蒸発器１６から溶け、融解水はすべて少なくとも１つの除霜融解水収集ガイド部２１を通してコンテナの外部に排出され、除霜開始から除霜終了までの期間は厳密には必要とされるものよりも長くならないように調節される。
【００８３】
不必要に長い除霜サイクルは、エネルギーの損失につながり得、さらに輸送ボリューム４５内に配置された貨物、特に、還気グリッド４２近傍に配置された慎重に扱うべき貨物についての、温度に関する不適切な扱いのリスクを増大させ得る。
【００８４】
制御システムが除霜サイクルを開始させる必要性を示すかまたは見出す場合、システムは蒸発器ファン１０を停止させる。さらに、膨張装置８を介した蒸発器１６への液体冷媒の供給も停止する。さらに、制御システムは、場合により存在する加熱ユニット２０により、および／または圧縮機６を出る温かい冷媒ガスが蒸発器１６の冷媒側へと流れ込むように冷媒流路を変更することにより、蒸発器１６への熱供給を開始する。
【００８５】
一般的な除霜終了のロジックは、霜がすべて蒸発器から溶けた（「蒸発器の除霜」）直後に除霜動作期間を終了させることを目的とする。典型的には、これは、２つの終了基準を適用し、そのうち少なくとも１つが満たされたときに除霜サイクルを終了させることによって達成される。
【００８６】
２つの通常の終了基準は：
−  設定された最長除霜持続時間が経過したとき、または
−  除霜温度センサ１７が、０℃をはるかに超えた所定の除霜終了温度設定値、例えば＋１８℃に達したとき
である。
【００８７】
霜がすべて蒸発器から溶けた直後に除霜動作期間を終了させるために、時間的基準は、除霜温度センサ基準が決定的となるように設定される。除霜温度センサ１７は、蒸発器１６の霜が通常最後に溶ける部分の内部またはその部分に配置される。冷凍輸送コンテナにおいて、この部分は、蒸発器の上側または直上のどこかであることが好ましい。
【００８８】
還気温度が０℃未満である一部の輸送において、霜は蒸発器１６の上方またはその上流の冷却空間４１内の場所に形成される。特に、これは、コンテナに積まれた後も絶えず冷却する必要がある非常に湿った貨物の輸送において生じる。極端な場合には、還気グリッド４２にはひどく霜がつくため、輸送ボリューム４５を通る空気循環を損ない、なおかつ、給気ダクト等における氷の蓄積を引き起こすそれほど明白ではない事象の連鎖が起こり始める。還気グリッド４２における霜形成は、還気流中に存在する過冷却された霧および／または氷晶が存在する場合にのみ起こり、これは、コンテナに積まれた後も絶えず冷却される必要がある非常に湿った貨物において起こり得ると考えられている。
【００８９】
霜が蒸発器１６の上方またはその上流の場所に形成されると、通常の「蒸発器の除霜」終了手順では、除霜サイクルを途中で終了させてしまう。このことは、還気グリッド４２が霜または氷が蓄積し得る最も高い位置にあるのに対して、除霜サイクルの終了が、蒸発器１６の上方に蓄積した霜の除去、すなわち、融解には早過ぎことを意味する。いくらかの霜が蒸発器コイルの上に蓄積した場合、その一部は、「蒸発器の除霜」手順が除霜サイクルを終了させる間に溶けるであろう。
【００９０】
除霜サイクルが途中で、すなわち、融解水収集ガイド部の方へ向かいこれを通って流れる融解水がまだある間に、終了してしまう場合、このことによりこれらのガイド部に氷が堆積するリスクを有する。これは、液体の水がまだ存在する間に、凍結環境に戻るからである。次の除霜サイクルでは、この氷は、その密な性質のために霜よりもはるかに溶けにくい。さらに、収集ガイド部２１は通常熱源、すなわち、おそらくは加熱ユニットまたは熱ガスで満たされた蒸発器チューブの下方に位置するため、除霜のための熱を収集ガイド部２１に導くのは困難である。
【００９１】
一連の１つまたはそれ以上の途中で終了された除霜サイクルの間、収集ガイド部２１の一部における氷は、ガイド部２１を完全に詰まらせるレベルまで蓄積し得る。その瞬間から、融解水はすべて給気ダクト４６の床に落ち、その場で水が凍る。極端なシナリオでは、この床の氷は、冷却空間４１を通る空気循環を完全に遮断するレベルまで蓄積し、輸送ボリューム４５内の貨物はもはや冷却されず、その温度が上昇し始める。
【００９２】
本発明の制御システムまたはユニットは、実質的にすべての霜および氷が、蒸発器１６と、還気グリッド４２を含めた冷却空間４１内の蒸発器１６より上方にある部品から溶けるまで、除霜終了を延期することによって、「還気グリッドの除霜」、すなわち、延長または拡張された除霜サイクルを適用するかどうかを決定する。
【００９３】
本発明の一態様は、蒸発器の除霜サイクルの終了段階よりも期間を遅らせた段階でいつ除霜サイクルを終了させるかを決定することによって、除霜サイクルを延長および／または拡張および／または維持する方法を構成する。
【００９４】
本発明の別の関連態様は、延長された除霜サイクルを適用する必要があるかどうかの決定である。前述のように、本発明によって、理想的には冷却空間４１全体に氷がない状態となることを達成する。
【００９５】
図２は、除霜サイクルの開始時に還気グリッド４２が霜で覆われているか、または少なくとも部分的に遮断されている場合の、除霜サイクルの典型的な還気温度曲線を示す。曲線は還気温度センサ５により記録されたものであるが、冷却空間内で蒸発器の最も高い点よりも高い位置に配置された任意の他の温度センサは同等の温度曲線を記録するであろう。
【００９６】
除霜サイクルは時間０から開始する。図２では、段階Ａは、熱を蒸発器に供給しているにもかかわらず還気温度がほとんど上がらない期間である。段階Ａでは、還気温度はゆっくりとしか上がらないが、これは蒸発器１６に供給された感知可能な熱のほとんどが、蒸発器１６から溶ける霜または氷の潜熱に変換されるためである。蒸発器１６から霜または氷がなくなると、より多くの感知可能な熱は、自然対流で運ばれることにより冷却空間４１の上部に流れ、その結果、還気温度曲線の傾きが大きくなる（段階Ｂ参照）。還気温度が０℃に達すると、還気温度センサ５のすぐ近くの霜は溶け始め、還気温度センサ５に達する感知可能な熱のほとんどは潜熱に変換され、その結果、還気温度曲線の傾きは段階Ｃの約０℃／分まで小さくなる。還気温度センサ５から霜がなくなるとすぐに還気温度曲線の傾きは再度大きくなる（段階Ｄ参照）。還気グリッド４２は霜または氷で塞がれているため、熱は冷却空間４１内に閉じ込められたままになる。還気グリッド４２で融解が進むと、還気グリッド４２が開放されて、空気の流れが許容されるので、温風が冷却空間から輸送ボリュームの方に逃げ始める。このことは還気温度曲線の一時的な負の傾きをもたらし得る（段階Ｅ参照）。すべての霜が融解した後、空気の流れの抵抗は一定となり、自然対流により上向きの気流が冷却空間を通る。
【００９７】
その一方で、還気温度が比較的ゆっくりとしたペースで徐々に上昇するが、これは温風が容易に輸送ボリューム４５へと逃げるためである（段階Ｆ）。
【００９８】
蒸発器以外の部品に霜が蓄積していなければ、図２の温度曲線は徐々に段階Ａから段階Ｆへと滑らかに推移する。
【００９９】
「蒸発器の除霜」は通常、段階Ａの終わりまたは段階Ｂの始め、すなわち、実質的にすべての霜が蒸発器１６から溶けたときに終了する。
【０１００】
測定された還気温度を所定の指標として使用し、これを所定の状態と比べることにより、実質的にすべての霜および／または氷が蒸発器１６だけでなく他の部品からも溶けたということが示された後に、除霜サイクルを終了させることができる。図２に関連するいくつかの実施例は以下である：
−  実質的にすべての霜または氷が少なくとも１つの蒸発器ファン１０から溶けた状態は、還気温度が、図２の段階Ｃを十分に超える、０℃を十分上回る値、例えば、２℃を超えるときである。
−  実質的にすべての霜または氷が還気グリッド４２と、冷却空間４１内部の蒸発器１６の上方にあるすべてのその他の部品とから溶けたときの状態は、最後の例えば５分間の還気温度が例えば１℃よりも大きくなり、その間、還気温度曲線の傾きが常に正であるが急峻ではなく、例えば、５分間にわたる平均が０から例えば１℃／分であり、図２の段階Ｆに典型的な傾きであるときである。
【０１０１】
測定された温度とは別に、除霜開始からの経過時間を所定の指標として使用し、これを所定の条件である所定の最長除霜持続時間と比較することができる。その際に、通常、それまでの経験に基づいて、所定の最長除霜持続時間を最悪の霜形成の場合に調整する。図２の場合、３４分間の所定の最長除霜持続時間が有効な所定の条件となる。
【０１０２】
図３は、冷凍輸送コンテナの制御システムのマイクロプロセッサにより実施される除霜終了制御法またはアルゴリズムまたはプログラムによって実行される例示的なステップを示すフローチャートである。図３の手順は、「還気グリッドの除霜」サイクルの間、ある頻度で、例えば、５分に１度以上であるが、好ましくは５秒間に１度以上呼び出される。
【０１０３】
図３に示すフローチャートは、「還気グリッドの除霜」タイプによる除霜終了手順３００の動作の一例を提供する。この動作例によると、「還気グリッドの除霜」タイプという名称は、所定の指標を所定の温度および／または時間に関連した状態と比較し、所定の指標の１つまたは複数が所定の状態と一致するときに熱供給をオフにすることにより除霜サイクルを終了させる方法を意味する。この所定の状態とは、実質的にすべての霜および／または氷が輸送ボリュームと冷却空間４１の間の還気流中に配置された還気グリッド４２から溶けた状態を表す。
【０１０４】
アルゴリズムはステップ３０２で開始され、現在の除霜が例えば３４分前以内に開始されたかどうかを判断するステップ３０３に進む。ステップ３０３のテストがＮＯである場合、本方法は、ステップ３１２に進んでタイマーによる除霜終了を適用する。
【０１０５】
ステップ３１２では、本方法は、蒸発器への熱供給をオフにすることにより現在の除霜サイクルを終了させ、冷却システムは、凍結動作に戻る。ステップ３０３のテストがＹＥＳである場合、本方法は、ステップ３０４に進む。
【０１０６】
ステップ３０４では、本方法は、還気温度が例えば２℃超まで上昇したかどうかを確認する。ステップ３０４のテストがＮＯである場合、還気グリッドは霜で覆われたままであり得るため、本方法はステップ３０３に戻る。
【０１０７】
ステップ３０４のテストがＹＥＳである場合、還気温度センサには霜がなく、本方法は、ステップ３０６に進む。ステップ３０６では、本方法は、還気温度が例えば５分間以上、例えば１℃超まで上昇したかどうかを確認する。
【０１０８】
ステップ３０６のテストがＮＯである場合、還気温度曲線が段階Ｆ（図２参照）に入っているかをテストするのは早過ぎるため、本方法はステップ３０３に戻る。
【０１０９】
ステップ３０６のテストがＹＥＳである場合、本方法は、ステップ３０８に進む。ステップ３０８では、本方法は、還気温度曲線の傾きが、最後の例えば５分間、常に正であったかどうかを確認する。
【０１１０】
ステップ３０８のテストがＮＯである場合、段階Ｅ（図２参照）が最後の５分間の一部であり、還気グリッドから完全に霜がなくなっているかを判断するにはまだ早過ぎるため、本方法はステップ３０３に戻る。ステップ３０８のテストは、還気温度が最後の５分間、段階ＤまたはＦ（図２参照）にあり、段階Ｅは最後の５分間の一部ではない場合にのみＹＥＳとなり得る。
【０１１１】
ステップ３０８のテストがＹＥＳである場合、本方法は、ステップ３１０に進む。ステップ３１０では、本方法は、最後の５分間にわたる還気温度曲線の平均傾斜が、段階Ｄと段階Ｆ（図２参照）を区別するために、例えば１℃／分未満であったかどうかを確認する。
【０１１２】
ステップ３１０のテストがＮＯである場合、還気温度曲線は明らかに依然として段階Ｄ（図２参照）にあるため、本方法はステップ３０３に戻る。
【０１１３】
ステップ３１０のテストがＹＥＳである場合、本方法はステップ３１２に進んで除霜サイクルを終了させるが、これは、還気温度曲線が段階Ｆ（図２参照）にあり、実質的にすべての霜が還気グリッドから溶けたからである。
【０１１４】
蒸発器１６よりも高い位置の部品への霜形成は稀であるため、所定の指標が還気グリッド４２に霜および／または氷がないことを示す所定の状態と一致するまで、あらゆる除霜サイクルを継続させるのはエネルギーの無駄となる。通常、蒸発器１６に霜が実質的にない場合、すなわち、図２の段階Ａの終わり頃に、「蒸発器の除霜」を適用する、すなわち、既存の標準的な手順に従って除霜サイクルを単に終了させることは問題ないであろう。したがって、「還気グリッドの除霜」または「蒸発器の除霜」またはその中間の何かを適用するかを決定する、除霜終了タイプについてのコントローラが必要である。これは、手動で、例えば、ユニットコントローラのキーパッドにより、人間のオペレータに入力フラグをコントローラに設定させることにより、制御してもよい。この場合、この除霜終了タイプのフラグは、例えば「蒸発器の除霜」および「還気グリッドの除霜」の２つの値を有するであろう。除霜終了タイプのフラグが値「蒸発器の除霜」を有する場合、所定の指標が、蒸発器に実質的に霜または氷がないと示すときに、除霜サイクルは現在の手順に従って終了し、そうでなければ除霜サイクルが「還気グリッド」のロジックに従って終了する。この１つの可能な実施形態が図３に記される。この場合、輸送中に、状態が霜または氷が還気グリッド４２に形成されるようなものであり得るかどうかを先験的に判断するのはオペレータの責任である。新規輸送が開始されることが指標により示される場合、例えば、電源オフの期間が４日を超える場合（これは、搬送が終了したという、冷凍コンテナ産業における従来からの指標である）、自動でこの除霜終了タイプのフラグをそのデフォルト値である「蒸発器の除霜」にリセットするのが自然であろう。
【０１１５】
あるいは、自動コントローラが、「蒸発器の除霜」または「還気グリッドの除霜」を適用するかどうかを決定する。これは複数の方法で行うことが可能である。通常、以下の予備知識を使用するであろう：
１．還気グリッドの霜または氷は、温度が下降する状況、すなわち、ユニットの電源を入れた後の第１の期間、および水分負荷が高いとき、すなわち、除霜を頻繁にする必要があるときに、特に生じ得る。
２．還気グリッドは、還気温度が０℃未満であるときにのみ、霜または氷で覆われ得る。
３．霜または氷で覆われた還気グリッドは、気流を阻害するため、グリッドが霜で覆われると空気流量が少なくなる。
【０１１６】
図４に示すフローチャートは特に上述の予備知識１に依存する、自動除霜終了タイプの制御アルゴリズム４００の動作の一実施例を提供する。この手順は、除霜サイクルのちょうど開始時に呼び出される。
【０１１７】
この場合、アルゴリズムはステップ４０２で開始され、現在の除霜が冷却ユニットの電源を最後に入れてから最初の除霜であるかどうか、すなわち、ユニットが、温度が下降する状況で動作する十分な可能性があるかどうかをテストするステップ４０４に進む。
【０１１８】
ステップ４０４のテストがＹＥＳである場合、本方法は、ステップ４１４、すなわち、「還気グリッドの除霜」の適用の決定に進む。この場合、除霜サイクルは、還気グリッドに実質的に霜がない場合にのみ終了することが確実となる。
【０１１９】
ステップ４１４では、除霜終了タイプ「還気グリッドの除霜」により、図３のフローチャートに概説されるロジックに従って、除霜サイクルを終了させ得る。
【０１２０】
ステップ４０４のテストがＮＯである場合、本方法はステップ４０５に進み、ここで、最後の除霜が例えば３時間前以内に終わったかどうか、すなわち、水分負荷が極めて高い、したがって還気グリッド着霜のリスクが高いかどうかをテストする。
【０１２１】
ステップ４０５のテストがＹＥＳである場合、本方法は、ステップ４１４に進む。
【０１２２】
ステップ４０５のテストがＮＯである場合、本方法はステップ４０６に進み、ここで、最後の除霜タイプが「還気グリッドの除霜」であったかどうかをテストする。
【０１２３】
ステップ４０６のテストがＹＥＳである場合、本方法は、この前の除霜サイクル中に収集した還気温度センサおよび／または還気グリッドの霜の兆候についてのデータを分析する。
【０１２４】
本方法はまずステップ４０８に進み、ここで、最後の除霜の段階Ｃ（図２）の持続時間が例えば３分間よりも長く継続したかどうかをテストする。
【０１２５】
ステップ４０８のテストがＹＥＳである場合、前の除霜サイクル中に還気温度センサには霜または氷があり、本方法は、ステップ４１４に進む。
【０１２６】
ステップ４０８のテストがＮＯである場合、還気温度センサのすぐ近くには前の除霜開始時に霜がなく、本方法はステップ４１０に進み、ここで、段階Ｅ（図２参照）が０分間よりも長かったか、すなわち、還気温度曲線の傾きが、還気グリッドの開放により負であった期間が生じたかどうかをテストする。
【０１２７】
ステップ４１０のテストがＹＥＳである場合、還気グリッドは、前の除霜サイクルの開始時に霜に覆われており、本方法は、ステップ４１４に進むことによって「還気グリッドの除霜」タイプの除霜サイクルを再び使用すると決定する。
【０１２８】
ステップ４１０のテストがＮＯである場合、「還気グリッドの除霜」のタイプであった前の除霜により蒸発器以外の位置から霜が除去されたと示されないため、「還気グリッドの除霜」の必要がなく、本方法はステップ４１２に進む。
【０１２９】
ステップ４１２では、除霜終了タイプ「蒸発器の除霜」は、従来技術の方法を用いて、実質的にすべての霜が蒸発器から溶けたときに、除霜サイクルを終了させる。フローチャートのステップ４１２よりも前のステップで還気グリッドに霜がない、したがって、「還気グリッドの除霜」が冗長であることを示す場合にのみ、ステップ４１２に到達することに留意されたい。
【０１３０】
ステップ４０６のテストがＮＯである、すなわち、最後の除霜が「蒸発器の除霜」であった場合、本方法は、ステップ４１６に進む。ステップ４１６では、最後の例えば５回の除霜サイクルがすべて、除霜終了タイプ「蒸発器の除霜」に従って終了したかどうかをテストする。
【０１３１】
ステップ４１６のテストがＮＯである場合、本方法は、ステップ４１２に進むことにより、除霜終了タイプ「蒸発器の除霜」を再び呼び出す。
【０１３２】
ステップ４１６のテストがＹＥＳである場合、本方法は、ステップ４１４に進み、これにより、例えば６回の各除霜のうち少なくとも１回が、実質的にすべての霜が還気グリッドから溶けたときにだけ終了したことを確実にして、一種のセーフティネットを提供する。
【０１３３】
図５に示すフローチャートは、自動除霜終了タイプの制御アルゴリズムの動作の別の実施例を提供する。この場合、アルゴリズムは前述の予備知識２および３により依存する。
【０１３４】
図５に係る手順は、除霜サイクルまたは蒸発器の除霜サイクルの開始後に呼び出すことができる。
【０１３５】
図５に係るアルゴリズムは、開始後、給気温度と還気温度との大きな温度差（ＲＴＳ−ＳＴＳによる除霜）に続いて現在の除霜手順が開始されたかどうかテストすることにより開始する。このテストがＮＯの場合、アルゴリズムはＳＴＳ（給気温度）＞ＲＴＳ（還気温度）かどうかのテストに進む。このテストがＮＯの場合、通常の蒸発器の除霜サイクルを選択する。ＳＴＳ＞ＲＴＳテストがＹＥＳである場合、最初の（ＲＴＳ−ＳＴＳに起因する除霜）テストがＹＥＳであった場合と同様に、アルゴリズムは、ＲＴＳ（還気温度）＜０．０℃であるかどうかのテストに進む。このテストがＮＯの場合、通常の蒸発器の除霜サイクルを選択する。ＲＴＳ＜０．０℃テストがＹＥＳの場合、拡張または延長された除霜サイクルが呼び出される。
【０１３６】
拡張または延長された除霜サイクルを呼び出すとすぐに、アルゴリズムはＲＴＳ＞＋０．５℃かつＲＴＳ（今／現在）＜ＲＴＳ（今／現在−１０秒）であるかをテストする。このテストがＮＯの場合、アルゴリズムはＲＴＳ＞＋１０．０℃かどうかをテストする。このテストがＮＯの場合、アルゴリズムは前のテストに戻る。前のテストがＹＥＳの場合と同様に、このテストがＹＥＳである場合、アルゴリズムは、所望によりＤＴＳ（除霜終了センサ（図１の１７の位置））＞ＤＴＴ（除霜終了温度）であるかどうかのテストに進んでもよい。このテストがＹＥＳの場合、アルゴリズムは、残っている霜および／または氷をすべて還気グリッドから吹き飛ばすために蒸発器ファンを稼働させ、その後、除霜サイクルを終了する。
【０１３７】
同じ趣旨のその他のフローチャートも同等の結果を達成できる。
【０１３８】
本発明のその他の態様によると、冷凍輸送コンテナにおいて、蒸発器の除霜サイクルまたは拡張された除霜サイクルを選択する方法が開示される。冷凍輸送コンテナは：
−  輸送ボリューム４５と、
−  冷却空間４１に配置された少なくとも蒸発器１６を備える冷却ユニット４０と、
−  冷却空間４１を当該輸送ボリューム４５から分離させるように構成された還気グリッド４２と、
−  蒸発器１６と還気グリッド４２の間の高さに配置された、還気温度を検知する手段と、
−  除霜サイクルの間、蒸発器１６を能動的に加熱する手段と、
−  少なくとも除霜サイクルの持続時間を制御するように構成されたプロセッサと
を備え、
本方法は、
−  還気グリッド４２における霜および／または氷の堆積を示す１つまたは複数の指標を確立するステップと、
−  還気グリッド４２における霜および／または氷の堆積を示す１つまたは複数の指標が還気グリッド４２における霜および／または氷の堆積を示していれば、拡張された除霜サイクルを選択するステップと
を含む。
【０１３９】
本発明の任意の態様のいくつかの実施形態によると、冷却ユニットの現在の設定値が、過去の除霜サイクルの開始前の冷却ユニットの設定値に等しい場合にのみ、除霜サイクルは延長または拡張されてもよい。
【０１４０】
本発明の任意の態様のいくつかの実施形態によると、還気グリッド４２における霜および／または氷の堆積を示す１つの指標は、除霜開始から還気温度が０℃超まで上昇する（図２の段階Ｃの終了）までの経過時間により確立されてもよい。
【０１４１】
本発明の教示は多数の利点を有する。さまざまな実施形態または実施態様が、詳述した利点の１つまたは複数をもたらし得る。本明細書は網羅的なリストであると考えるべきではなく、本明細書で記載されていないその他の利点があってもよいことに留意すべきである。
【０１４２】
本出願の教示は例示のために詳細に記述されたが、このような詳細は単に例示を目的としており、当業者によって本出願の教示の範囲を逸脱することなく変更することができると理解すべきである。
【０１４３】
本明細書および添付の特許請求の範囲で使用される用語「備える（ｃｏｍｐｒｉｓｉｎｇ）」および／または「含む（ｉｎｃｌｕｄｉｎｇ）」は、その他の要素またはステップを排除するものではない。さらに、特許請求の範囲で使用される用語「１つの（ａ、ａｎ）」は、複数を排除するものではない。
【図１】
0006258461.tif 000002
【図２】
0006258461.tif 000003
【図３】
0006258461.tif 000004
【図４】
0006258461.tif 000005
【図５】
0006258461.tif 000006